(57)【特許請求の範囲】
【請求項１】
吸込口(４a)から吸い込まれた空気を清浄化する空気清浄フィルタ(７)と、上記空気清浄フィルタ(７)が収納される空気清浄フィルタ用ケース(６)とを備えた空気調和機において、
上記空気清浄フィルタ(７)を上記空気清浄フィルタ用ケース(６)内から上記吸込口(４a)側に送り出したり、上記吸込口(４a)側から上記空気清浄フィルタ(７)を上記空気清浄フィルタ用ケース(６)内に巻き戻したりする駆動機構を備え、
上記駆動機構は、上記空気清浄フィルタ用ケース(６)の上側に配置され、上記空気清浄フィルタ(７)を上記上記空気清浄フィルタ用ケース(６)内から送り出したり上記上記空気清浄フィルタ用ケース(６)内に戻したりするための駆動部(８)と、上記吸込口(４a)に設けられ、上記空気清浄フィルタ(７)を案内する案内部(９,１０)とを有すると共に、
上記空気清浄フィルタ(７)は、上記駆動部(８)により上記案内部(９,１０)に向かって送り出されるときに座屈しないことを特徴とする空気調和機。
【請求項２】
請求項１に記載の空気調和機において、
上記駆動部は、
駆動モータ(３１)と、
上記駆動モータ(３１)の出力軸に同軸に連結された駆動ギア(３２)と、
上記駆動モータ(３１)の出力軸に一端が所定の摩擦抵抗を持って回動自在に連結されたアーム(３３)と、
上記駆動ギア(３２)に噛合すると共に、上記アーム(３３)の他端に回動自在に取り付けられた中間ギア(３４)と、
上記駆動モータ(３１)の出力軸が一方の方向に回転することにより上記アーム(３３)が同一方向に回動して上記中間ギア(３４)に噛合し、上記駆動ギア(３２)の回転が上記中間ギア(３４)を介して伝達される送り出し用ギア(３５)と、
上記駆動モータ(３１)の出力軸が他方の方向に回転することにより上記アーム(３３)が同一方向に回動して上記中間ギア(３４)に噛合し、上記駆動ギア(３２)の回転が上記中間ギア(３４)を介して伝達されて、上記フィルタを上記空気清浄フィルタ用ケース(６)内に戻す戻し用ギア(３６)とを有することを特徴とする空気調和機。
【発明の詳細な説明】
【０００１】
【発明の属する技術分野】
この発明は、吸込口に空気清浄フィルタを備えた空気調和機に関する。
【０００２】
【従来の技術】
従来、空気調和機としては、濾過式の空気清浄フィルタが室内ユニットの熱交換器前面の吸い込み側に配置された空気清浄機能を有するものがある。
【０００３】
【発明が解決しようとする課題】
ところが、上記空気調和機において、空気清浄の性能を向上させるには、濾過式の空気清浄フィルタの目の粗さを細かくして微細な塵を捕集しなければならないため、通風抵抗が増大して空気調和機本来の温度調節機能が阻害されるという問題がある。
【０００４】
そこで、この発明の目的は、空気清浄機能が必要なときのみ吸い込み空気を空気清浄フィルタに通過させるようにでき、空気清浄機能が不要なときは温度調節機能を有効に発揮できる空気調和機を提供することにある。
【０００５】
【課題を解決するための手段】
上記目的を達成するため、請求項１の空気調和機は、
吸込口から吸い込まれた空気を清浄化する空気清浄フィルタと、上記空気清浄フィルタが収納される空気清浄フィルタ用ケースとを備えた空気調和機において、
上記空気清浄フィルタを上記空気清浄フィルタ用ケース内から上記吸込口側に送り出したり、上記吸込口側から上記空気清浄フィルタを上記空気清浄フィルタ用ケース内に巻き戻したりする駆動機構を備え、
上記駆動機構は、上記空気清浄フィルタ用ケースの上側に配置され、上記空気清浄フィルタを上記上記空気清浄フィルタ用ケース内から送り出したり上記上記空気清浄フィルタ用ケース内に戻したりするための駆動部と、上記吸込口に設けられ、上記空気清浄フィルタを案内する案内部とを有すると共に、
上記空気清浄フィルタは、上記駆動部により上記案内部に向かって送り出されるときに座屈しないことを特徴としている。
【０００６】
上記請求項１の空気調和機によれば、空気清浄機能が必要なときは上記駆動機構により空気清浄フィルタを空気清浄フィルタ用ケース内から吸込口側に送り出すことによって、吸い込み空気を空気清浄フィルタに通過させて清浄化することができる。一方、空気清浄機能が不要なときは上記駆動機構により上記吸込口側から空気清浄フィルタを空気清浄フィルタ用ケース内に巻き戻すことによって、空気清浄フィルタによる通風抵抗の低下を防いで、温度調節機能を有効に発揮できる。なお、上記空気清浄フィルタは、吸込口全面を覆うように展開してもよいし、吸込口の一部を覆うように展開してもよい。
【０００７】
【０００８】
また、上記空気清浄フィルタを上記駆動部により空気清浄フィルタ用ケース内から送り出して上記案内部により案内しながら上記吸込口側に送り出し、上記吸込口に展開された空気清浄フィルタを上記案内部により案内しながら駆動部により空気清浄フィルタ用ケース内に巻き戻して収納する。また、上記駆動部により展開,収納するときに空気清浄フィルタを上記案内部により案内することで、確実な展開,収納を行うことができる。
【０００９】
【００１０】
また、上記空気清浄フィルタを案内部に向かって送り出すときに座屈しない構造とすることによって、展開が容易となる。
【００１１】
また、請求項２の空気調和機は、請求項１に記載の空気調和機において、上記駆動部は、駆動モータと、上記駆動モータの出力軸に同軸に連結された駆動ギアと、上記駆動モータの出力軸に一端が所定の摩擦抵抗を持って回動自在に連結されたアームと、上記駆動ギアに噛合すると共に、上記アームの他端に回動自在に取り付けられた中間ギアと、上記駆動モータの出力軸が一方の方向に回転することにより上記アームが同一方向に回動して上記中間ギアに噛合し、上記駆動ギアの回転が上記中間ギアを介して伝達される送り出し用ギアと、上記駆動モータの出力軸が他方の方向に回転することにより上記アームが同一方向に回動して上記中間ギアに噛合し、上記駆動ギアの回転が上記中間ギアを介して伝達されて、上記フィルタを上記空気清浄フィルタ用ケース内に戻す戻し用ギアとを有することを特徴としている。
【００１２】
上記請求項２の空気調和機によれば、上記駆動モータの出力軸が一方の方向に回転すると、上記中間ギアが送り出し用ギアに噛合するまでアームが同一方向に回動する。そして、上記中間ギアが送り出し用ギアに噛合すると、駆動ギアの回転が中間ギアを介して送り出し用ギアに伝達され、送り出し用ギアが駆動モータの出力軸の回転と同一の方向に回転する。その送り出し用ギアの回転によって、空気清浄フィルタを送り出す。一方、上記駆動モータの出力軸が他方の方向に回転すると、中間ギアが戻し用ギアに噛合するまでアームが同一方向に回動する。そして、上記中間ギアが戻し用ギアに噛合すると、駆動ギアの回転が中間ギアを介して戻し用ギアに伝達され、戻し用ギアが駆動モータの出力軸の回転と同一の方向に回転する。その戻し用ギアの回転によって、空気清浄フィルタを上記空気清浄フィルタ用ケース内に戻す。このように、１つの駆動モータを用いた簡単な構成によって、空気清浄フィルタを送り出しおよび戻しが容易にでき、コストを低減できる。なお、上記アームの一端が駆動モータの出力軸に所定の摩擦抵抗を持って回動自在に連結されているので、駆動モータの出力軸の回転に伴って回動したアームの一端の中間ギアが送り出し用ギア(または戻し用ギア)に噛合すると、アームの回動は止まり、アームに対して駆動モータの出力軸が自由に回転する。
【００１３】
【発明の実施の形態】
以下、この発明の空気調和機を図示の実施の形態により詳細に説明する。
【００１４】
（第１実施形態）
図１はこの発明の第１実施形態の空気調和機の室内ユニットの断面図であり、１は底フレーム、２は上記底フレーム１の前面側に配置された断面くの字形状の熱交換器、３は上記熱交換器２の下流側に配置された送風ファン、４は上記熱交換器２の前面側を覆うように底フレーム１に取り付けられた前面パネル、５は上記熱交換器２の下側に配置されたドレンパン部である。上記送風ファン３により前面側および上面側から熱交換器２を介して室内空気を吸い込み、下方の吹出口２０から吹き出す。
【００１５】
また、上記ドレンパン部５の前面側に、円筒形状の空気清浄フィルタ用ケース６を取り外し可能に取り付けている。上記空気清浄フィルタ用ケース６には、上方に開口するスリット６aを水平方向に沿って設けている。また、上記空気清浄フィルタ用ケース６内にロール状に巻回された濾過式の空気清浄フィルタ７を収納しており、空気清浄フィルタ７の先端部が空気清浄フィルタ用ケース６のスリット６aから突出している。さらに、上記空気清浄フィルタ用ケース６の上側に駆動部としての駆動ロータ８を配置し、駆動ロータ８を図示しないステッピングモータにより駆動する。上記駆動ロータ８により空気清浄フィルタ７を送り出したり巻き戻したりする。また、上記前面パネル４の両側面の内側に、駆動ロータ８により送り出された空気清浄フィルタ７の左右両側の縁を案内する案内部９,１０(図１では左側面側のみを示す)を設けている。上記駆動ロータ８,案内部９,１０で駆動機構を構成している。なお、上記空気清浄フィルタ７は、ロール状に巻回されて収納される構造をしている。
【００１６】
図２に示すように、駆動ロータ８により送り出された空気清浄フィルタ７の展開部分７aの両側の縁は、案内部９,１０(図１では左側面側のみを示す)により案内されて、前面パネル４の前方および上方の吸込口４aの下流側全体を覆う。なお、前面パネル４と空気清浄フィルタ７の展開部分７aとの間には、比較的大きな埃などを取り除くためのプレフィルタ１１を取り外し自在に取り付けている。
【００１７】
上記構成の空気調和機の室内ユニットにおいて、室内の温度を調節する空調運転時に、空気清浄機能が必要なときは、ロール状に巻回された空気清浄フィルタ７を駆動ロータ８により矢印Ｒの方向に送り出して案内部９,１０により案内しながら展開し、前面パネル４の前方および上方の吸込口４a全体を覆う。一方、空気清浄機能が必要ないときは、展開された空気清浄フィルタ７を案内部９,１０により案内しながら駆動ロータ８により巻き戻して空気清浄フィルタ用ケース６内に収納し、通風抵抗を低減することにより、空気調和機本来の温度調節機能を有効に働かせる。なお、上記駆動ロータ８による空気清浄フィルタ７の送り出し量および巻き戻し量は、駆動ロータ８の回転量または回転時間に基づいて制御する。
【００１８】
また、上記室内ユニットにおいて、空気清浄フィルタ７の展開部分７aの交換時期がきた場合は、その展開部分７aの領域を切り取って廃棄し、空気清浄フィルタ７の残りの領域を駆動ロータ８により送り出して使用する。そして、空気清浄フィルタ用ケース６内に収納されていた空気清浄フィルタ７を全て使い終わった場合は、空気清浄フィルタ用ケース６をドレンパン部５から外して、新しい空気清浄フィルタ７と交換した後、空気清浄フィルタ用ケース６をドレンパン部５に取り付ける。
【００１９】
このように、空気清浄機能が必要なときは駆動機構(駆動ロータ８と案内部９,１０)により空気清浄フィルタ７を吸込口４aに展開することによって、吸い込み空気を空気清浄フィルタ７に通過させて清浄化することができる。一方、空気清浄機能が不要なときは駆動機構(ロータ８と案内部９,１０)により吸込口４aに展開された空気清浄フィルタ７の展開部分７aを空気清浄フィルタ用ケース６内に収納することによって、通風抵抗を低減して、温度調節機能を有効に発揮することができる。
【００２０】
また、上記空気清浄フィルタ７をロール状に巻回して空気清浄フィルタ用ケース６内に収納するので、収納スペースを小さくでき、室内ユニットの小型化に対応することができる。また、上記駆動ロータ８により展開,収納するときに空気清浄フィルタ７を案内部９,１０により案内することで、確実な送り出し,巻き戻しを行うことができる。
【００２１】
また、上記空気清浄フィルタ７を案内部９,１０に向かって送り出すときに座屈しない構造とすることによって、空気清浄フィルタ７を案内する案内部９,１０への送り出しを容易に行うことができる。
【００２２】
上記第１実施形態では、空気清浄フィルタ７を吸込口４aの全面を覆うように展開したが、空気清浄フィルタを吸込口の一部を覆うように展開してもよい。
【００２３】
また、上記第１実施形態では、ロール状に巻回された空気清浄フィルタ７を用いた室内ユニットについて説明したが、空気清浄フィルタはこれに限らず、蛇腹構造の空気清浄フィルタを用いたものでもよい。例えば、収納ケースに蛇腹状に折りたたまれた空気清浄フィルタを駆動機構により引き出したり再び収納ケースに戻して折りたたんだりする。
【００２４】
また、上記第１実施形態では、駆動ロータ８と案内部９,１０で構成された駆動機構を用いたが、駆動機構はこれに限らず、ロール状に巻回された空気清浄フィルタや蛇腹状の空気清浄フィルタを吸込口に展開したり収納したりできる駆動機構であればよい。例えば、ロール状の空気清浄フィルタに巻き取り用の軸部を設けてその軸部を巻き取り方向に回転させて、展開された空気清浄フィルタを巻き取ってもよい。
【００２５】
さらに、上記第１実施形態では、濾過式の空気清浄フィルタ７を用いた空気調和機について説明したが、空気清浄フィルタはこれに限らず、濾過式と脱臭式を組み合わせた空気清浄フィルタ等を用いてもよい。
【００２６】
（第２実施形態）
図３はこの発明の第２実施形態の空気調和機の室内ユニットの要部の断面図である。この第２実施形態の空気調和機の室内ユニットは、駆動部を除いて第１実施形態の空気調和機の室内ユニットと同一の構成をしている。
【００２７】
図３に示すように、この空気調和機の室内ユニットの駆動部は、空気清浄フィルタ用ケース６の上側に配置された駆動モータ３１と、上記駆動モータ３１の出力軸に同軸に連結された駆動ギア３２と、上記駆動モータ３１の出力軸に一端が所定の摩擦抵抗を持って回動自在に連結されたアーム３３と、上記駆動ギア３２に噛合すると共に、上記アーム３３の他端に回動自在に取り付けられた中間ギア３４と、上記駆動モータ３１の出力軸が一方の方向に回転すると、上記アーム３３が同一方向に回動して中間ギア３４に噛合し、上記駆動ギア３２の回転が中間ギア３４を介して伝達される送り出し用ギア３５と、上記駆動モータ３１の出力軸が他方の方向に回転すると、上記アーム３３が同一方向に回動して中間ギア３４に噛合し、上記駆動ギア３２の回転が中間ギア３４を介して伝達される戻し用ギアの一例としての巻き戻し用ギア３６とを有している。上記巻き戻し用ギア３６は、ロール状に巻回される空気清浄フィルタ７(図１に示す)の巻き取り軸(図示せず)に同軸に連結されている。また、上記アーム３３の先端に取り付けられた中間ギア３４は、駆動モータ３１の出力軸の回転に伴って上下方向に移動し、送り出し用ギア３５または巻き戻し用ギア３６のいずれか一方に噛合する。
【００２８】
上記構成の空気調和機の室内ユニットにおいて、図３に示すように、駆動モータ３１の出力軸が矢印Ｒ１の方向に回転すると、アーム３３が駆動モータ３１の出力軸に所定の摩擦抵抗を持って連結されているので、中間ギア３４が送り出し用ギア３５に噛合するまでアーム３３が矢印Ｒ２の方向に回動する。そして、中間ギア３４が送り出し用ギア３５に噛合すると、アーム３３の回動が止まるが、アーム３３に対して駆動モータ３１の出力軸が所定の摩擦抵抗に逆らって自由に回転するので、駆動ギア３２の回転が中間ギア３４を介して送り出し用ギア３５に伝達され、送り出し用ギア３５が矢印Ｒ４の方向に回転する。上記送り出し用ギア３５の回転によって、図示しない空気清浄フィルタを矢印Ｒ５の方向に送り出す。このとき、巻き戻し用ギア３６は、回転自在な状態となる。
【００２９】
一方、図４に示すように、駆動モータ３１の出力軸が矢印Ｒ１１の方向に回転すると、中間ギア３４が巻き戻し用ギア３６に噛合するまでアーム３３が矢印Ｒ１２の方向に回動する。そして、中間ギア３４が巻き戻し用ギア３６に噛合すると、駆動ギア３２の回転が中間ギア３４を介して巻き戻し用ギア３６に伝達され、巻き戻し用ギア３６が矢印Ｒ１４の方向に回転する。上記巻き戻し用ギア３６の回転によって、図示しない空気清浄フィルタの巻き取り軸が巻き取り方向に回転して、空気清浄フィルタを矢印Ｒ１５の方向に巻き戻す。このとき、送り出し用ギア３５は、回転自在な状態となる。
【００３０】
このように、この第２実施形態の空気調和機の室外ユニットでは、１つの駆動モータ３１を用いた簡単な構成によって、空気清浄フィルタを送り出しおよび巻き戻しができ、コストを低減できる。
【００３１】
【発明の効果】
以上より明らかなように、請求項１の発明の空気調和機によれば、吸込口から吸い込まれた空気を清浄化する空気清浄フィルタを備えた空気調和機において、空気清浄機能が必要なときは駆動機構により空気清浄フィルタを空気清浄フィルタ用ケース内から吸込口に展開することによって、吸い込み空気を空気清浄フィルタに通過させて清浄化する一方、空気清浄機能が不要なときは上記駆動機構により吸込口に展開された空気清浄フィルタを空気清浄フィルタ用ケース内に収納することによって、空気清浄フィルタによる通風抵抗の低下を防いで、温度調節機能を有効に発揮することができる。
【００３２】
また、空気清浄フィルタを駆動部により空気清浄フィルタ用ケース内から送り出して案内部により案内しながら吸込口に展開する一方、吸込口に展開された空気清浄フィルタを案内部により案内しながら駆動部により空気清浄フィルタ用ケース内に戻して収納することによって、確実な展開,収納を行うことができる。
【００３３】
また、上記空気清浄フィルタを案内部に向かって送り出すときに座屈しない構造とすることによって、収納された空気清浄フィルタを案内して展開することが容易にできる。
【００３４】
また、請求項２の発明の空気調和機によれば、請求項１の空気調和機において、上記駆動部では、駆動モータの出力軸の回転方向に応じて、中間ギアが送り出し用ギアまたは戻し用ギアのいずれか一方に噛合し、中間ギアが送り出し用ギアに噛合した場合は、駆動ギアの回転が中間ギアを介して送り出し用ギアに伝達され、送り出し用ギアが駆動モータの出力軸の回転と同一の方向に回転することによって、ロール状の空気清浄フィルタを送り出す一方、中間ギアが戻し用ギアに噛合した場合は、駆動ギアの回転が中間ギアを介して戻し用ギアに伝達され、戻し用ギアが駆動モータの出力軸の回転と同一の方向に回転することによって、空気清浄フィルタを所定の位置に戻すので、１つの駆動モータを用いた簡単な構成によって、空気清浄フィルタを送り出しおよび巻き戻しが容易にでき、コストを低減できる。
【図面の簡単な説明】
【図１】  図１はこの発明の第１実施形態の空気調和機の室内ユニットの断面図である。
【図２】  図２は空気清浄フィルタを展開した状態の室内ユニットの断面図である。
【図３】  図３はこの発明の第２実施形態の空気調和機の室内ユニットの駆動部の送り出し動作を示す図である。
【図４】  図４は上記室内ユニットの駆動部の巻き戻し動作を示す図である。
【符号の説明】
１…底フレーム、
２…熱交換器、
３…送風ファン、
４…前面パネル、
５…ドレンパン部、
６…空気清浄フィルタ用ケース、
７…空気清浄フィルタ、
８…駆動ロータ、
９,１０…案内部、
１１…プレフィルタ、
３１…駆動モータ、
３２…駆動ギア、
３３…アーム、
３４…中間ギア、
３５…送り出し用ギア、
３６…巻き戻し用ギア。
【図１】
0004734709.tif 000002
【図２】
0004734709.tif 000003
【図３】
0004734709.tif 000004
【図４】
0004734709.tif 000005